(57)【要約】【課題】この発明は、背凭れから延びる肘掛が取り付けられている椅子に使用することができ、透明樹脂を用いたとしても、椅子使用者の背中が蒸れないポスター掲示部材を提供することを目的とする。【解決手段】  椅子の背凭れ部Ｂに取り付けるポスター掲示部材１であって、ポスター掲示部材１は、透明樹脂からなり、掲示面１０と背凭れ挿入部２とポスター保持部３とを備えるものであり、掲示面１０はポスターＰを覆うと共に最外側に配置されものであり、掲示面１０の上側が背凭れ挿入部２の一部であり、掲示面１０の下側がポスター保持部３の一部であり、背凭れ挿入部２は、その上下方向の高さが背凭れ部Ｂの上下方向の高さの１０〜４０％であり、背凭れ部Ｂ上方側を覆うものであり、ポスター保持部３は、背凭れ挿入部２から背凭れ部Ｂ背面に垂れ下がる態様の袋体であり、掲示面１０と背凭れ部Ｂの間にポスターＰを保持するものであることを特徴とする。【選択図】図１
2015019826.tif 000002
【特許請求の範囲】
【請求項１】
椅子の背凭れ部（Ｂ）に取り付けるポスター掲示部材（１）であって、ポスター掲示部材（１）は、透明樹脂からなり、掲示面（１０）と背凭れ挿入部（２）とポスター保持部（３）とを備えるものであり、
掲示面（１０）はポスター（Ｐ）を覆うと共に最外側に配置されものであり、
掲示面（１０）の上側が背凭れ挿入部（２）の一部であり、
掲示面（１０）の下側がポスター保持部（３）の一部であり、
背凭れ挿入部（２）は、その上下方向の高さが背凭れ部（Ｂ）の上下方向の高さの１０〜４０％であり、背凭れ部（Ｂ）上方側を覆うものであり、
ポスター保持部（３）は、背凭れ挿入部（２）から背凭れ部（Ｂ）背面に垂れ下がる態様の袋体であり、掲示面（１０）と背凭れ部（Ｂ）の間にポスター（Ｐ）を保持するものであることを特徴とするポスター掲示部材。
【請求項２】
前記透明樹脂は厚さ０．２ｍｍ〜０．４ｍｍの塩化ビニルシートであり、ポスター掲示部材（１）は、一枚の塩化ビニルシートに曲げ加工と溶着とを行うことにより、端部に曲げ部（４）と溶着部（５）とを備え、
背凭れ挿入部（２）とポスター保持部（３）の境界近傍に、補強溶着部（５０）を設けたことを特徴とする請求項１記載のポスター掲示部材。
【請求項３】
前記塩化ビニルシートは、表面を改質した軟質塩化ビニルであることを特徴とする請求項２に記載のポスター掲示部材。
【請求項４】
一人掛け椅子（Ｓ）の背凭れ部（Ｂ）に取り付ける請求項３記載のポスター掲示部材（１）であって、掲示面（１０）を、横幅３６５ｍｍ〜４４０ｍｍ、縦幅２６０ｍｍ〜３１０ｍｍとしたことにより、Ａ３またはＢ４用紙サイズの規格のポスター（Ｐ）に適合させたことを特徴とする。
【請求項５】
横長の複数人掛け椅子（Ｌ）の背凭れ部（Ｂ）に取り付ける請求項３記載のポスター掲示部材（１）であって、掲示面（１０）の横幅を、横長の複数人掛け椅子（Ｌ）の幅長さの９５％〜１０５％としたことを特徴とする。
【発明の詳細な説明】
【技術分野】
【０００１】
本発明は、宣伝広告や店案内や商品情報などが表示されたポスターを、椅子の背凭れ部に掲示する、ポスター掲示部材に関するものである。
【背景技術】
【０００２】
電車やバスのシート、医療機関や店舗の座席、パチンコ店などにおいて椅子の背凭れは、チラシなどが貼り付けられ、宣伝や広告に用いられている。
例えば、特許文献１には荷物を収納するスペースを設けると共に宣伝を行うためのＰＯＰスペースが設けられた椅子カバーが開示されている。また、特許文献２には、椅子の背凭れ部の立体形状を利用した椅子用カバーが開示されている。さらに、特許文献３には、大がかりな透明硬質ホルダーを備えた椅子カバーが開示されている。
【０００３】
しかしながら前述の従来技術を組み合わせたとしても、背凭れ部から延びる肘掛が取り付けられている椅子には対応できないものであった。また、背凭れ部全てを覆う態様であるから、透明樹脂を取り付けた場合、椅子使用者の背中が蒸れるという問題もあった。
【先行技術文献】
【特許文献】
【０００４】
【特許文献１】実用新案登録第３１０４２９０号公報
【０００５】
【特許文献２】実用新案登録第３１６４６０３号公報
【０００６】
【特許文献３】実用新案登録第３１６５７４６号公報
【発明の概要】
【発明が解決しようとする課題】
【０００７】
そこでこの発明は、背凭れ部から延びる肘掛が取り付けられている椅子に使用することができ、透明樹脂を用いたとしても、椅子使用者の背中が蒸れないポスター掲示部材を提供することを目的とする。
【課題を解決するための手段】
【０００８】
（請求項１記載の発明）
請求項１記載の発明は、椅子の背凭れ部に取り付けるポスター掲示部材であって、ポスター掲示部材は、透明樹脂からなり、掲示面と背凭れ挿入部とポスター保持部とを備えるものであり、掲示面はポスターを覆うと共に最外側に配置されものであり、掲示面の上側が背凭れ挿入部の一部であり、掲示面の下側がポスター保持部の一部であり、背凭れ挿入部は、その上下方向の高さが背凭れ部の上下方向の高さの１０〜４０％であり、背凭れ部上方側を覆うものであり、ポスター保持部は、背凭れ挿入部から背凭れ部背面に垂れ下がる態様の袋体であり、掲示面と背凭れ部の間にポスターを保持するものであることを特徴とする。
（請求項２記載の発明）
請求項２記載の発明は請求項１記載の発明に従属するものであり、前記透明樹脂は厚さ０．２ｍｍ〜０．４ｍｍの塩化ビニルシートであり、ポスター掲示部材は一枚の塩化ビニルシートに曲げ加工と溶着を行うことにより、端部に曲げ部と溶着部とを備え、背凭れ挿入部とポスター保持部の境界近傍に補強溶着部を設けたことを特徴とする。
【０００９】
（請求項３記載の発明）
請求項３記載の発明は請求項２記載の発明に従属するものであり、前記塩化ビニルシートは、表面を改質した軟質塩化ビニルであることを特徴とする。
（請求項４記載の発明）
請求項４記載の発明は一人掛け椅子の背凭れ部に取り付ける請求項３記載のポスター掲示部材であって、掲示面を横幅３６５ｍｍ〜４４０ｍｍ縦幅２６０ｍｍ〜３１０ｍｍとしたことにより、Ａ３またはＢ４用紙サイズの規格のポスターに適合させたことを特徴とする。
（請求項５記載の発明）
請求項５記載の発明は横長の複数人掛け椅子の背凭れ部に取り付ける請求項３のポスター掲示部材であって、掲示面の横幅を横長の複数人掛け椅子の幅長さの９５％〜１０５％としたことを特徴とする。
【発明の効果】
【００１０】
（請求項１記載の発明の効果）
請求項１記載の発明であると、加工を簡単なものとしコストを削減するために一枚の透明樹脂からポスター掲示部材を作成したとしても、椅子使用者の背中が蒸れないポスター掲示部材となり、背凭れ部から延びる肘掛が取り付けられている椅子に使用することができる。また、背凭れ部からの取り外しが簡単であることからポスターの交換作業が楽なものであり、野外に設置したとしても雨が入らないという効果がある。
（請求項２記載の発明の効果）
塩化ビニルシートを用いると透明性に優れ、光沢性を有するものとなり好ましい。また、塩化ビニルを高周波溶着することにより、接着剤などを用いないことから、耐久性に優れたものとすることができる。溶着が外れやすい背凭れ挿入部とポスター保持部の境界近傍の溶着端を補強することができる。
【００１１】
（請求項３記載の発明の効果）
軟質塩化ビニルシートとすることにより、椅子の背凭れ部背面に沿いやすいものとなり、脂肪酸アマイドを添加したおよび／または表面加工を施した軟質塩化ビニルとすることで表面を改質し、ポスターや人体に張り付かず、ポスターの印刷内容が裏写りしないものとするのができる。
（請求項４記載の発明の効果）
成人の肩幅は３５０ｍｍ〜４３０ｍｍであり、この肩幅に合わせて、一人掛け椅子の背凭れ部は設計されており、Ａ３またはＢ４用紙を横置きした場合と長さが近似するという効果がある。
（請求項５記載の発明の効果）
塩化ビニルシートを横長に用いて、複数のポスターを一度に掲示することができる。
【図面の簡単な説明】
【００１２】
【図１】図１は椅子に取り付けたポスター掲示部材の斜視図である。
【図２】図２は椅子背凭れ部側から見たポスター掲示部材の斜視図である。
【図３】図３はポスター掲示部材の断面図である。
【図４】図４はポスター掲示部材の部分拡大図である。
【図５】図５は横長の複数人掛け椅子に取り付けたポスター掲示部材の斜視図である。
【発明を実施するための形態】
【００１３】
以下にこの発明のポスター掲示部材を実施例として示す各図と共に説明する。
椅子とは、実施例１では一人掛けの椅子Ｓとし、実施例２では横長の複数人掛け椅子Ｌとする。
【実施例１】
【００１４】
〔１．ポスター掲示部材１について〕
ポスター掲示部材１は、図１に示すように、椅子Ｓの背凭れ部Ｂに取り付けるポスター掲示部材１である。ポスター掲示部材１は、透明樹脂からなり、掲示面１０と背凭れ挿入部２とポスター保持部３とを備えるものである。
掲示面１０はポスターＰを覆うと共に最外側に配置されものであり、掲示面１０の上側が背凭れ挿入部２の一部であり、掲示面１０の下側がポスター保持部３の一部であり、背凭れ挿入部２は、背凭れ部Ｂ全長の１０〜４０％（好ましくは３０％〜３５％）であり、背凭れ部Ｂ上方側を覆うものであり、ポスター保持部３は、背凭れ挿入部２から背凭れ部Ｂ背面に垂れ下がる態様の袋体であり、掲示面１０と背凭れ部Ｂの間にポスターＰを保持するものである。
【００１５】
このようなポスター掲示部材１であると、背凭れ部Ｂから延びる肘掛Ｅが取り付けられている椅子Ｓに使用することができ、加工を簡単なものとしコストを削減するために一枚の透明樹脂からポスター掲示部材を作成したとしても、椅子使用者の背中が蒸れないポスター掲示部材１となり、野外に設置したとしても雨が入らず、ポスターＰが紙の場合印刷内容が滲まないという効果がある。
また、背凭れ部Ｂからの取り外しが簡単であることから、図２に示すようにポスターＰの交換作業が楽という効果もある。
【００１６】
〔２．ポスター掲示部材１の使用方法について〕
ポスター掲示部材１は、図２に示すように、ポスターＰの少なくとも下半分を、ポスター保持部３に収納する（使用者がポスターＰを図２の矢印方向に移動させる）ものである。
そして、ポスターＰを収納後、図１に示すように、椅子Ｓの背凭れ部Ｂ上方にポスター掲示部材１は取り付けられるものである。
背凭れ部Ｂに取り付けた状態で、ポスターＰを交換することもできる。
【００１７】
〔３．透明樹脂について〕
ポスター掲示部材１は、前述のように透明樹脂からなるものである。
透明樹脂は、厚さ０．２ｍｍ〜０．４ｍｍの塩化ビニルシートであり、ポスター掲示部材１は、一枚の塩化ビニルシートに曲げ加工と溶着を行うことにより、端部に曲げ部４と溶着部５とを備え、背凭れ挿入部２とポスター保持部３の境界近傍に、その溶着端を覆う面積を有する略円形状の補強溶着部５０を設けている。
【００１８】
より具体的には、図３に示すように、背凭れ挿入部２は、背凭れ部Ｂ上方側を収納できるよう立体的形状となる態様で曲げ加工と溶着がなされている。また、ポスター保持部３は、背面に垂れ下がりシート状のポスターＰを収納できるように、平面形状となる態様で曲げ加工と溶着がなされている。そして、立体的形状の背凭れ挿入部２の一面と平面形状のポスター保持部３の一面は、掲示面１０として同一のものである。
【００１９】
透明樹脂に塩化ビニルシートを用いると透明性、柔軟性に優れるため、ポスターＰを視認しやすくなるとともに椅子に着座しても痛みを与えることがなく、さらに、成形するときに加工が容易になるので好ましい。そして、光沢性を有するものとなりポスターＰの視認者に高級感を与えられるので好ましい。また、塩化ビニルを溶着することにより、接着剤などを用いないことから、耐久性に優れたものとすることができる。背凭れ挿入部２とポスター保持部３の境界近傍は、溶着部５が外れやすい為、補強溶着部５０を設けるのが好ましい。補強溶着部５０を設けると、溶着が外れやすい背凭れ挿入部２とポスター保持部３の境界近傍の溶着端を補強し長期に亘りポスター掲示部材１を使用することができる。
【００２０】
より好ましくは、ポスター掲示部材１に用いる透明樹脂を軟質塩化ビニルとする。軟質塩化ビニルシートとすることにより、椅子Ｓの背凭れ部Ｂ背面に沿いやすいものとなり、ポスターＰの印刷内容が裏写りしないものとするために軟質塩化ビニルに表面加工を行うことができる。
次に、前述の軟質塩化ビニルの表面を改質する。表面改質の目的は表面のベタつきを抑制すること（ノンタック加工）であり、表面改質の方法として脂肪酸アマイドの添加または表面加工を例示することができる。脂肪酸アマイドの添加と表面加工の両方を行う表面改質であってもよい。
【００２１】
軟質塩化ビニルシートへ添加する脂肪酸アマイドとして、飽和モノアマイド、不飽和モノアマイド、飽和置換アマイド、飽和ビスアマイド、不飽和ビスアマイド、飽和メチロールアマイド、飽和エステルアマイド、飽和水分散体などを例示することができ、飽和ビスアマイドを用いるのが好ましい。
【００２２】
軟質塩化ビニルシートへの表面加工としてエンボス加工やコロナ放電加工や抗菌加工や対候性加工や静電気防止加工などを例示することがでる。例えば、エンボス加工を用いて微細な凹凸を軟質塩化ビニルシート表面のツヤ状態を損なわないように形成し、軟質塩化ビニルシート表面のベタつきを減らす表面加工を挙げることができる。
【００２３】
飽和ビスアマイドの添加または表面加工が施されていることにより、掲示面１０に収納したポスターＰの印刷面のインクが掲示面１０に転写されず、異なるポスターＰに入れ替えても見栄えを損なうことなく異なるポスターＰを表示することができる。
【００２４】
より具体的には、飽和ビスアマイドの添加を施した軟質塩化ビニルとして、オカモト株式会社製のコピーセーフ（登録商標）などを用いることができる。コピーセーフ（登録商標）の特性は、以下の表１に記載の通りである。
添加される飽和ビスアマイドは、ビスアマイド〔Ｎ，Ｎ’−メチレンビス（ステアロアミド）〕、化学式：ＣＨ３（ＣＨ２）１６ＣＯＮＨＣＨ２ＮＨＣＯ（ＣＨ２）１６ＣＨ３、分子量５７９．１である。
【００２５】
【表１】
2015019826.tif 000003
【００２６】
〔４．溶着について〕
溶着方法として、「１５〜５０キロヘルツ程度の超音波振動を圧力とともに部材に加え生じる摩擦熱で接合する超音波溶着方法」、「１００〜３００ヘルツ程度の低い周波数を用い、振幅の大きい横振動を対象素材に伝えることで非常に強力に溶着させる振動溶着方法」、「電磁誘導コイルを利用して物理的に離れている被誘導体に電流が流れる電磁誘導を用いて金属板を数百度の高温になるまで昇温し樹脂部材に近接させて輻射熱を利用し溶着する非接触熱板溶着方法」、「高周波エネルギーの電界作用によって樹脂部材そのものを内部から発熱させる高周波溶着方法」、「光を通す透過性樹脂と光を吸収する吸収性樹脂を適度な圧力で重ね合わせレーザーを照射すると樹脂が結合することを利用した半導体レーザー溶着方法」、「ヒーターを使用した熱板を部材に直接押し当てる熱板溶着方法」、「一方の部材を固定し他方の部材に回転させ加圧し接触面で発生する摩擦熱を利用したスピン溶着方法」などを例示することができる。
【００２７】
塩化ビニルシートからなるポスター掲示部材１においては、高周波溶着方法を用いるのが好ましく、高周波ミシンや高周波ウェルダーを溶着装置として用いることができる。
図２に示すようなポスターＰをポスター保持部３に出し入れする作業や、背凭れ部Ｂを背凭れ挿入部２に出し入れする作業を繰り返すと、掲示面１０に対向するシートそれぞれは引っ張られ、溶着部５の背凭れ挿入部２とポスター保持部３の境界近傍の溶着が剥がれてしまう可能性がある。したがって、図４に示すように補強溶着部５をそれぞれ追加するのが好ましい。
【００２８】
補強溶着部５０の追加位置は、背凭れ挿入部２の側面それぞれ上のポスター保持部３側と、ポスター保持部３平面のポスター保持部３側の両側端それぞれに、合計少なくとも４ヶ所設けるのが好ましい。
補強溶着部５０は、溶着部５端部を面の溶着としており、図４に示すように円形スポット溶着を行うことができる。さらに補強溶着部５のポイントに追加シート６を取り付け、耐久性をより向上させることもできる。
【００２９】
〔５．掲示面１０について〕
ポスターＰは、背凭れ部Ｂの横幅の９５％〜１０５％とするのが好ましい。すなわち、掲示面１０は、背凭れ部Ｂの横幅の９５％〜１０５％とするのが好ましい。
椅子Ｓは一人用の椅子であるから、掲示面１０を、横幅３６５ｍｍ〜４４０ｍｍ、縦幅２６０ｍｍ〜３１０ｍｍとしたことにより、Ａ３またはＢ４用紙サイズの規格のポスターＰに適合させることができる。この横幅３６５ｍｍ〜４４０ｍｍという長さは、成人の肩幅３５０ｍｍ〜４３０ｍｍに合わせて設計された一人掛け椅子Ｓの背凭れ部Ｂの幅に近似している。
【実施例２】
【００３０】
実施例２は、図５に示すような複数人数で使用する長ベンチおよび／または長ソファーとなる横長の複数人掛け椅子（以下、長ベンチ）Ｌに取り付けるポスター掲示部材１である。長ベンチＬに背凭れ部Ｂから延びる肘掛（図示せず）を取り付けることもできる。
〔１．ポスター掲示部材１について〕と、〔２．ポスター掲示部材１の使用方法について〕と、〔３．透明樹脂について〕と、〔４．補強溶着について〕に関しては実施例１と同様である。
【００３１】
〔５．掲示面１０について〕
掲示面１０の横幅を、長ベンチＬの幅長さの９５％〜１０５％とするのが好ましい。
そして、図５に示すように、ポスターＰを区切る為の区切り１１を設けても良い。このようにすると、複数のポスターＰを一度に掲示することができる。区切り１１は、実施例１に記載の高周波溶着で設けることができる。
また、区切り１１を設けずに、横断幕のような横長帯状のポスターＰを掲示することもできる。
【産業上の利用可能性】
【００３２】
本件発明のポスター掲示部材１は、薄くて軽量で耐久性が高いものである。したがって、ポスターＰ以外にも、薄型タブレット端末などをポスター保持部３に保持させ、液晶画面や有機ＥＬ画面や電子ペーパをポスターＰとして掲示する可能性もある。
【符号の説明】
【００３３】
Ｓ    椅子
Ｂ    背凭れ部
Ｅ    肘掛
Ｐ    ポスター
Ｌ    長ベンチ
１    ポスター掲示部材
１０  掲示面
１１  区切り
２    背凭れ挿入部
３    ポスター保持部
４    曲げ部
５    溶着部
５０  補強溶着部
６    追加シート
【図１】
2015019826.tif 000004
【図２】
2015019826.tif 000005
【図３】
2015019826.tif 000006
【図４】
2015019826.tif 000007
【図５】
2015019826.tif 000008